(57)【要約】【課題】  折り畳み可能及び拡張可能なペットキャリーバッグを提供する。【解決手段】  折り畳み可能及び拡張可能なペットキャリーバッグである。折り畳み可能及び拡張可能なペットキャリーバッグはペットキャリーバッグ本体を含み、ペットキャリーバッグ本体は第１のペットドアを設けられ、ペットキャリーバッグ本体は背部を有し、背部は折り畳み可能拡張部を設けられる。拡張部は上壁、底壁、左側壁、右側壁、及び前側壁を含む。左側壁及び右側壁は、それぞれ、拡張部の内側部分に向けて折り畳まれる。底壁と底壁の面に重なった前側壁とは、スイングされ、上壁に重ねられる。ペットキャリーバッグは、折り畳むのが容易であり、折り畳まれた後、ペットキャリーバッグ本体に固定された拡張部の底壁が背クッションを形成する。【選択図】  図２
2019083802.tif 000002
【特許請求の範囲】
【請求項１】
折り畳み可能及び拡張可能なペットキャリーバッグであって、ペットキャリーバッグ本体を含み、前記ペットキャリーバッグ本体は第１のペットドア及び背面を設けられ、前記背面は折り畳み可能な拡張部を設けられ；前記拡張部が拡張されたとき、前記拡張部は直方体又は実質的に直方体の構造を形成し；前記拡張部は上壁、底壁、左側壁、右側壁、及び前側壁を含み；前記左側壁及び前記右側壁の双方が折り畳み可能な素材で作成され、前記前側壁及び前記背面は対称的に配置され；前記前側壁は第１の周縁を含み、前記上壁は第２の周縁を含み、前記第１の周縁は第１の支持リングを設けられ、前記第２の周縁は第２の支持リングを設けられ；前記ペットキャリーバッグ本体に取外し可能に固定された接続部品が前記底壁に設けられ；当該ペットキャリーバッグが折り畳まれたとき、前記前側壁及び前記上壁は下方に回転され、それぞれ、前記底壁及び前記背面に重ねられ；前記左側壁及び前記右側壁は、それぞれ、前記拡張部の内側部分に向けて折り畳まれ；前記底壁と前記底壁の面に重なった前記前側壁とは上方にスイングされ、前記背面の面の前記上壁に重なる、折り畳み可能及び拡張可能なペットキャリーバッグ。
【請求項２】
前記背面は布で形成され、前記布は底部と該底部を除く残りの部分とを含み、前記布の前記底部は前記ペットキャリーバッグ本体に固定的に接続され、前記布の前記残りの部分はジッパーにより前記ペットキャリーバッグ本体の内側壁に接続される、請求項１に記載の折り畳み可能及び拡張可能なペットキャリーバッグ。
【請求項３】
パッド本体が、前記布の、前記ペットキャリーバッグ本体の内側に面する側に配置され、前記背面の前記ジッパーが引かれて開き、前記パッド本体が前記拡張部の前記底壁に重ねられたとき、前記パッド本体は前記拡張部のペットパッドを形成する、請求項２に記載の折り畳み可能及び拡張可能なペットキャリーバッグ。
【請求項４】
前記ペットキャリーバッグ本体は底部を含み、前記底壁は第１の側部、第２の側部、第３の側部、及び第４の側部を含み、前記底壁の前記第１の側部は前記ペットキャリーバッグ本体の前記底部の側部に固定的に接続され、前記接続部品はジッパーであり、前記ジッパーは第１の歯チェーン及び第２の歯チェーンを含み、前記ジッパーの前記第１の歯チェーンは前記底壁の前記第２の側部、前記第３の側部、及び前記第４の側部に設けられ、対応して、前記第２の歯チェーンは前記ペットキャリーバッグ本体に、前記背面の外側に配置される、請求項１に記載の折り畳み可能及び拡張可能なペットキャリーバッグ。
【請求項５】
前記前側壁は第２のペットドアを設けられ、前記第２のペットドアはジッパーにより前記前側壁に接続される、請求項１に記載の折り畳み可能及び拡張可能なペットキャリーバッグ。
【請求項６】
前記左側壁及び前記右側壁は双方がメッシュ生地で作成され、前記メッシュ生地の外縁が扁平繊維を設けられる、請求項１に記載の折り畳み可能及び拡張可能なペットキャリーバッグ。
【請求項７】
前記第１の支持リングと前記第２の支持リングとの間の輪郭が弾性の柔らかい生地又はメッシュ様の生地の接続により形成される、請求項１に記載の折り畳み可能及び拡張可能なペットキャリーバッグ。
【請求項８】
前記底壁は硬質底プレートと該硬質底プレートの外面に巻かれた布とを含み、前記硬質底プレートの底部における前記布の外面は、人体の背中にフィットするように適合された通気性のある背クッションを設けられる、請求項１に記載の折り畳み可能及び拡張可能なペットキャリーバッグ。
【請求項９】
当該ペットキャリーバッグは前記底壁にフィットする薄いパッドをさらに含み、前記薄いパッドは面ファスナーにより前記底壁に取外し可能に接続され；さらに、収納バッグが、前記薄いパッドを収納するために前記ペットキャリーバッグ本体に設けられる、請求項１に記載の折り畳み可能及び拡張可能なペットキャリーバッグ。
【発明の詳細な説明】
【技術分野】
【０００１】
関連出願の相互参照
本出願は、2017年11月7日に申請された中国特許出願第201711084734.2号に基づき、該出願に対する優先権を主張し、その内容全体が本明細書において参照援用される。
【０００２】
本発明は、ペット用品の分野に関し、より詳細には、折り畳み及び拡張できるペットキャリーバッグに関する。
【背景技術】
【０００３】
人々の生活水準の向上と共に、寂しさを解消し、楽しみ及び他の精神的に必要なものを提供するために、ファミリーペットがますます人気になっている。ペット飼い主は通常、ペットを散歩させるときにプルロープを使用してペットを引くが、ペット飼い主が動いているか又は急いでいる一方でペットが速く歩かない場合、ペットを持ち運ぶのに便利なペット持ち運びバッグが使用される。いくつかのペットキャリーバッグが存在する。一般的なペットキャリーバッグは、バッグ本体、ジッパードア、及びバッグ本体に配置された複数のベントを通常含み、ペットは、ジッパードアを通して出入りする。
【０００４】
既存のペットキャリーバッグは、容易な可搬性及び収集（collection）のために小さいサイズを有する。しかしながら、ペットの活動空間を増加させるために、多くのペットキャリーバッグ製造業者のアプローチはバッグ本体の側部にジッパーを追加するものであり、ジッパーの２つのチェーンが特定の距離で調整される（staggered）。ジッパーが開かれたときにバッグ本体が拡張され、ジッパーが閉じられたときにバッグ本体が収縮される。しかしながら、ペットキャリーバッグの構造は、ジッパー歯間の布の制約に起因して、拡張空間が極端に制限される。同時に、ペットキャリーバッグの拡張部の底が支持部を有さず、多くのペットは驚いて拡張部の空間内に移動できないことになり、ゆえに、拡張空間が役に立たない。
【発明の概要】
【０００５】
本発明は、折り畳み可能及び拡張可能なペットキャリーバッグを提供し、既存のペットキャリーバッグが非常に限られた拡張及び収縮空間を有するという問題、及び拡張された空間の底が支持力を有さず使用するのに不便であるという問題、並びに他の欠点を解決する。
【０００６】
本発明は、下記の技術的解決策を採用する。
【０００７】
折り畳み可能及び拡張可能なペットキャリーバッグがペットキャリーバッグ本体を含み、上記ペットキャリーバッグ本体は第１のペットドアを設けられ、上記ペットキャリーバッグ本体の背面が折り畳み可能な拡張部を設けられ；上記拡張部が拡張されたとき、直方体又はほぼ直方体の構造が形成され；上記拡張部は上壁、底壁、左側壁、右側壁、及び前側壁を含み；上記左側壁及び上記右側壁の双方が折り畳み可能な素材で作成され、上記前側壁及び上記背面は対称的に配置され；上記前側壁及び上記上壁の外周縁の各々が支持リングを設けられ；上記ペットキャリーバッグ本体に取外し可能に固定された接続部品が上記底壁に設けられ；当該ペットキャリーバッグが折り畳まれたとき、上記前側壁及び上記上壁は下方に回転され、それぞれ、上記底壁及び上記背面に重ねられ；上記左側壁及び上記右側壁は、それぞれ、上記拡張部の内側部分に向けて折り畳まれ；上記底壁と上記底壁の面に重なった上記前側壁とは上方にスイングされ、上記背面の面の上記上壁に重ねられる。
【０００８】
さらに、上記背面は布を含み、上記布の底部面は上記ペットキャリーバッグ本体に固定的に接続され、上記布の他の部分はジッパーにより上記ペットキャリーバッグ本体の内側壁に接続される。
【０００９】
さらに、パッド本体が、上記布の、上記ペットキャリーバッグ本体の内側に面する側に配置され、上記背面の上記ジッパーが引かれて開き、上記パッド本体が上記拡張部の上記底壁に重ねられたとき、上記パッド本体は上記拡張部のペットパッドを形成する。
【００１０】
さらに、上記底壁の１つの側部が上記ペットキャリーバッグ本体の底部の側部に固定的に接続され、上記接続部品はジッパーであり、上記ジッパーの１つの歯チェーンが上記底壁の他の３つの側部に設けられ、対応して、もう１つの歯チェーンが上記ペットキャリーバッグ本体に、上記背面の外側に配置される。
【００１１】
さらに、上記前側壁は第２のペットドアを設けられ、上記第２のペットドアはジッパーにより上記前側壁に接続される。
【００１２】
さらに、上記左側壁及び上記右側壁は双方がメッシュ生地で作成され、上記メッシュ生地の外縁が扁平繊維を設けられる。
【００１３】
さらに、上記支持リング間の輪郭が弾性の柔らかい生地又はメッシュ様の生地の接続により形成される。
【００１４】
さらに、上記底壁は硬質底プレートと該硬質底プレートの外面に巻かれた布とを含み、上記硬質底プレートの底部における上記布の外面は、人体の背中にフィットするように適合された通気性のある背クッションをさらに設けられる。
【００１５】
さらに、当該ペットキャリーバッグは上記底壁にフィットする薄いパッドをさらに含み、上記薄いパッドは面ファスナーにより上記底壁に取外し可能に接続され；収納バッグが、上記薄いパッドを収納するために上記ペットキャリーバッグ本体に設けられる。
【００１６】
本発明の構造の上記説明から、従来技術と比較して、本発明が下記の利点を有することが分かる。
【００１７】
１．本発明のペットキャリーバッグは、ペットキャリーバッグ本体の背面に拡張部を設けられ、拡張部の上壁及び前側壁に支持リングを有し、伸張されたときに直方体又はほぼ直方体の構造を形成し、広い拡張ボリューム及び立体構造を有する。ペットキャリーバッグを折り畳むとき、上壁は下方に回転されてペットキャリーバッグ本体の背部に折り畳まれ、前側壁は下方に回転されて底壁に折り畳まれ、左側及び右側壁は、それぞれ、拡張部の内側部分に折り畳まれ、次いで、底壁と背壁の面に重ねられた前側壁とが、背面の面の上壁に重なるように上方にスイングされ、最後、接続部品を通してペットキャリーバッグ本体に固定され、ペットキャリーバッグの折り畳みは簡素であり、簡便である。折り畳まれた後、背クッションが拡張部の底壁に形成され、拡張部はペットキャリーバッグ本体に固定される。
【００１８】
２．ペットキャリーバッグ本体の背面は、ジッパーによりペットキャリーバッグ本体の内側壁に接続され、種々の場合の要件に合うように開閉でき；背面は、ペットキャリーバッグ本体に面する側にクッション本体を設けられ；背面のジッパーが引かれて開き、拡張部の底壁の上に折り畳まれているとき、背面全体がペットパッド構造を形成できる。
【図面の簡単な説明】
【００１９】
【図１】本発明による折り畳まれた状態の拡張部の第１の構造概略図である。
【図２】本発明による折り畳まれた状態の拡張部の第２の構造概略図である。
【図３】拡張部を省略された本発明を示す構造概略図である。
【図４】本発明による下方に折り畳まれた状態の拡張部分の上壁及び前側壁を示す構造概略図である。
【図５】本発明による拡張された状態の拡張部の構造概略図である。
【発明を実施するための形態】
【００２０】
本発明の特定の実施形態が、添付図面を参照して以下のとおり説明される。
【００２１】
図１を参照すると、折り畳み可能及び拡張可能なペットキャリーバッグが、ペットパック本体１０、ペットキャリーバッグ本体１０の前部分及び上部分を含み、弧構造を形成するように布により一体的に形成される。弧構造の２つの側部のうち少なくとも１つの側が、ジッパーにより側面部に接続される。側面部のへりは硬い素材で作成され、側面部は第１のペットドア１１を形成する。ペットパッドがペットキャリーバッグ本体１０の底にさらに配置される（角度の理由で、ペットパッドは図に示されていない）。
【００２２】
図２乃至図５を参照すると、ペットキャリーバッグ本体１０は背面１２をさらに含む。ストラップ１３が、後部１２の上位及び下位端に接続される。ペットキャリーバッグ本体１０の背面１２は、折り畳み可能拡張部２０を設けられる。拡張部２０が拡張されたとき、拡張部は直方体（cuboid）又は実質的に直方体の構造を形成する。拡張部２０は、上壁２１、底壁２２、左側壁２３、右側壁２４、及び前側壁２５を含む。左側壁２３及び右側壁２４の双方が折り畳み可能な素材で作成され、前側壁２５は背面１２ａに対向して配設される。すなわち、前側壁２５及び背面は対称的に配置される。前側壁２５及び上壁２１の外周縁の各々が、支持リング２５１を設けられる。ペットキャリーバッグ本体１０に取外し可能に固定される接続部品２２１が、底壁２２に提供される。好ましくは、接続部品はジッパーであり、底壁２２の１つの側部がペットキャリーバッグ本体１０の底の側部に固定的に接続され、ジッパーの１つの歯チェーン（one  teeth  chain）が底壁２２の他の３つの側部に設けられ、対応して、もう１つの歯チェーンがペットキャリーバッグ本体１０に、背面１２の外側に配置される。
【００２３】
拡張部２０を折り畳むとき、前側壁２５及び上壁２１は、それぞれ、底壁２２及び背面１２に重なるように下方に回転され、左側壁２３及び右側壁２４は、それぞれ、ほぼ直角の三角形構造を形成する（図４を参照）。この状態で、ペットキャリーバッグ本体の中のペットパッドが引き出され、底壁２２の前側壁２５の上面に設置し、重なって、太陽光の中でのペット日光浴のための小さいバルコニーを形成する。次いで、左側壁２３及び右側壁２４が、それぞれ、拡張部２０の内側に引き続き折り畳まれており、底壁２２と、底壁２２の面に重ねられた前側壁２５とが、上方にスイングされ、背面１２の面の上壁２１に重なる。最後、接続部品２２１が、ペットキャリーバッグ本体１０に固定的に接続される。
【００２４】
左側壁２３及び右側壁２４は双方がメッシュ生地であり、メッシュ生地の外縁は扁平繊維を設けられる。支持リング２５１間の輪郭は、弾性の柔らかい生地又はメッシュ様の生地の接続により形成される。
【００２５】
図３を参照すると、背面１２は布で作成され、布の底部がペットキャリーバッグ本体１０に固定的に接続され、布の他の部分はジッパーを通してペットキャリーバッグ本体１０の内側壁（inner  wall）に接続される。パッド本体が、背面の、ペットキャリーバッグ本体１０の内側部分に面する側に配置される（角度の理由で、パッド本体は図３に示されていない）。背面１２のジッパーが引かれて開き、底壁２２が拡張部２０に重ねられているとき、パッド本体は拡張部２０のペットパッドを形成する。
【００２６】
図２を参照すると、底壁２２は、硬質底プレートと、硬質底プレートの外面に巻かれた布とを含み、硬質底プレートの底部における布の外面は、人体の背中にフィットするように適合された通気性のある背クッション２２２をさらに設けられる。ペットキャリーバッグは、底壁にサイズがフィットする薄いパッド（図に示されていない）をさらに含み、この薄いパッドは、面ファスナー（Hook-and-loop  fastener）により底壁に取外し可能に接続されて、拡張部２０が拡張されたときに底壁の底面を汚すことを回避する。さらに、薄いパッドを収納するために、収納バッグ１４がペットキャリーバッグ本体１０に設けられる。
【００２７】
図５を参照すると、第２のペットドア２５２が前側壁２５に設けられ、第２のペットドア２５２はジッパーにより前側壁２５に接続される。
【００２８】
上記説明は、本発明の単に特定の実施形態を説明するが、本発明の設計概念はこれに限定されない。上記概念を用いてなされる本発明に対するいかなる非実質的修正も本発明の保護の範囲内に入るものとする。
【図１】
2019083802.tif 000003
【図２】
2019083802.tif 000004
【図３】
2019083802.tif 000005
【図４】
2019083802.tif 000006
【図５】
2019083802.tif 000007